(57)【要約】【課題】記録媒体が載置される載置面に設けられた孔から吹き出す気体の風圧を大きくすることができる記録装置を提供する。【解決手段】記録媒体が載置される載置面２６に複数の孔２４が設けられたテーブル部６と、載置面２６に記録媒体が載置された状態で、載置面の一のエリアである吸引エリアＡに設けられた孔２４および載置面２６の他のエリアである吹出エリアＢに設けられた孔２４に、吸引力を作用させる吸引状態と、吹出エリアＢに設けられた孔２４に送風し、孔２４から気体を吹き出させる送風状態と、を取り得る吸引送風部２１と、載置面２６に載置された記録媒体に対し、画像を記録する記録部とを備えた。【選択図】図３
2015182282.tif 000002
【特許請求の範囲】
【請求項１】
記録媒体が載置される載置面に複数の孔が設けられたテーブル部と、
前記載置面に前記記録媒体が載置された状態で、前記載置面の一のエリアである吸引エ
リアに設けられた前記孔および前記載置面の他のエリアである吹出エリアに設けられた前
記孔に、吸引力を作用させる吸引状態と、前記吹出エリアに設けられた前記孔に送風し、
前記孔から気体を吹き出させる送風状態と、を取り得る吸引送風部と、
前記載置面に載置された前記記録媒体に対し、画像を記録する記録部と、
を備えたことを特徴とする記録装置。
【請求項２】
前記テーブル部に対し、前記記録部を前記載置面に沿って相対的に移動させる移動部、
をさらに備え、
前記移動部は、記録時に前記記録部を前記テーブル部に対して記録開始位置から相対移
動させ、
前記吹出エリアは、前記載置面において前記記録開始位置に対応した位置である基準位
置を含めて設けられていることを特徴とする請求項１に記載の記録装置。
【請求項３】
前記吸引送風部は、
一方の端部が前記吸引エリアに設けられた前記孔に連なる吸引流路と、
前記吸引流路の他方の端部に連なり、前記吸引流路内を排気する排気状態と、前記吸引
流路内に給気する給気状態と、を取り得るファンと、
前記吸引流路において、前記ファンの前記排気状態における気体の流れを許容し、前記
ファンの前記給気状態における気体の流れを阻止する逆止弁と、
一方の端部が前記吹出エリアに設けられた前記孔に連なり、他方の端部が前記吸引流路
において前記逆止弁が設けられた箇所よりも前記ファン側に接続された吹出流路と、
を有することを特徴とする請求項１または２に記載の記録装置。
【請求項４】
前記吸引送風部は、
一方の端部が前記吸引エリアに設けられた前記孔に連なる吸引流路と、
前記吸引流路の他方の端部に連なり、前記吸引流路内を排気するファンと、
一方の端部が前記吹出エリアに設けられた前記孔に連なり、他方の端部が前記吸引流路
に接続された吹出流路と、
一方の端部が前記ファンの排気側に連なる排出流路と、
前記吹出流路の途中に設けられ、前記吹出流路の前記吹出エリア側が接続された第１ポ
ート、前記吹出流路の前記吸引流路側が接続された第２ポート、前記排出流路の前記ファ
ンとは反対側の端部が接続された第３ポート、吸気ポートおよび排気ポートを有する切替
弁と、を有し、
前記切替弁は、前記第１ポートを前記第２ポートに連通させ、前記第３ポートを前記排
気ポートに連通させる第１状態と、前記吸気ポートを前記第２ポートに連通させ、前記第
３ポートを前記第１ポートに連通させる第２状態と、の間で切り替わることを特徴とする
請求項１または２に記載の記録装置。
【発明の詳細な説明】
【技術分野】
【０００１】
本発明は、記録媒体が載置されるテーブル部を備えた記録装置に関するものである。
【背景技術】
【０００２】
従来、印刷媒体を支持する支持テーブルと、支持テーブルに支持された印刷媒体に対し
て画像を印刷する印刷部と、支持テーブル内の減圧室と連通した真空ブロアとを備えたイ
ンクジェットプリンターが知られている。このインクジェットプリンターでは、印刷媒体
が支持テーブルに載置され、真空ブロアにより減圧室内が負圧に設定されると、印刷媒体
が支持テーブル表面に真空吸着される。また、真空ブロアにより空気を減圧室に送り込む
と共に空気孔から吹き出させることによって、印刷媒体を支持テーブルの表面から浮かせ
て簡単に取り除くことができる（特許文献１参照）。
【先行技術文献】
【特許文献】
【０００３】
【特許文献１】特開２０１１−０８３９１０号公報
【発明の概要】
【発明が解決しようとする課題】
【０００４】
従来のインクジェットプリンターは、支持テーブルの表面に設けられた全ての空気孔か
ら空気を吹き出す構成であることから、空気孔からの風圧が低くなる。このため、比較的
重量のある印刷媒体を用いたような場合には、支持テーブルの表面から印刷媒体を浮かせ
ることができない。
【０００５】
本発明は、記録媒体が載置される載置面に設けられた孔から吹き出す気体の風圧を大き
くすることができる記録装置を提供することを課題としている。
【課題を解決するための手段】
【０００６】
本発明の記録装置は、記録媒体が載置される載置面に複数の孔が設けられたテーブル部
と、載置面に記録媒体が載置された状態で、載置面の一のエリアである吸引エリアに設け
られた孔および載置面の他のエリアである吹出エリアに設けられた孔に、吸引力を作用さ
せる吸引状態と、吹出エリアに設けられた孔に送風し、孔から気体を載置面側に吹き出さ
せる送風状態と、を取り得る吸引送風部と、載置面に載置された記録媒体に対し、画像を
記録する記録部と、を備えたことを特徴とする。
【０００７】
この構成によれば、吸引送風部が、吸引状態では、吸引エリアに設けられた孔および吹
出エリアに設けられた孔に吸引力を作用させるのに対し、送風状態では、吸引エリアに設
けられた孔には送風せず、吹出エリアに設けられた孔に対して送風する。このため、載置
面に設けられた全ての孔に対して送風する場合に比べ、吹出エリアに設けられた孔からの
風圧を大きくすることができる。
【０００８】
この場合、テーブル部に対し、記録部を載置面に沿って相対的に移動させる移動部、を
さらに備え、移動部は、記録時に記録部をテーブル部に対して記録開始位置から相対移動
させ、吹出エリアは、載置面において記録開始位置に対応した位置である基準位置を含め
て設けられていることが好ましい。
【０００９】
この構成によれば、基準位置には、記録媒体のサイズを問わず、記録媒体が載置される
。このため、基準位置が含まれる吹出エリアに、記録媒体のサイズを問わず、記録媒体が
載置される。
【００１０】
この場合、吸引送風部は、一方の端部が吸引エリアに設けられた孔に連なる吸引流路と
、吸引流路の他方の端部に連なり、吸引流路内を排気する排気状態と、吸引流路内に給気
する給気状態と、を取り得るファンと、吸引流路において、ファンの排気状態における気
体の流れを許容し、ファンの給気状態における気体の流れを阻止する逆止弁と、一方の端
部が吹出エリアに設けられた孔に連なり、他方の端部が吸引流路において逆止弁が設けら
れた箇所よりもファン側に接続された吹出流路と、を有することが好ましい。
【００１１】
この構成によれば、ファンが排気状態を取る場合には、吹出流路内が負圧になると共に
、吸引流路に設けられた逆止弁がファンの排気状態における気体の流れを許容するため、
吸引流路内が負圧となり、吸引エリアに設けられた孔および吹出エリアに設けられた孔に
吸引力が作用する。一方、ファンが給気状態を取る場合には、吹出流路を介して、吹出エ
リアに設けられた孔に送風されるが、吸引流路に設けられた逆止弁がファンの給気状態に
おける気体の流れを阻止するため、吸引エリアに設けられた孔には送風されない。このよ
うに、吸引送風部は、ファンが排気状態を取ることで、吸引状態となり、ファンが給気状
態を取ることで、送風状態となる。
【００１２】
この場合、吸引送風部は、一方の端部が吸引エリアに設けられた孔に連なる吸引流路と
、吸引流路の他方の端部に連なり、吸引流路内を排気するファンと、一方の端部が吹出エ
リアに設けられた孔に連なり、他方の端部が吸引流路に接続された吹出流路と、一方の端
部がファンの排気側に連なる排出流路と、吹出流路の途中に設けられ、吹出流路の吹出エ
リア側が接続された第１ポート、吹出流路の吸引流路側が接続された第２ポート、排出流
路のファンとは反対側の端部が接続された第３ポート、吸気ポートおよび排気ポートを有
する切替弁と、を有し、切替弁は、第１ポートを第２ポートに連通させ、第３ポートを排
気ポートに連通させる第１状態と、吸気ポートを第２ポートに連通させ、第３ポートを第
１ポートに連通させる第２状態と、の間で切り替わることが好ましい。
【００１３】
この構成によれば、切替弁が第１状態に切り替わった場合には、第１ポートが第２ポー
トと連通し、第３ポートが排気ポートと連通するため、吸引流路内および吹出流路内が負
圧となり、吸引エリアに設けられた孔および吹出エリアに設けられた孔に吸引力が作用す
る。一方、切替弁が第２状態に切り替わった場合には、吸気ポートが第２ポートと連通し
、第３ポートが第１ポートと連通するため、吸気ポートから吸気された気体が、吹出流路
の吸引流路側、吸引流路、排出流路および吹出流路の吹出エリア側を介して、吹出エリア
に設けられた孔に送風される。このように、吸引送風部は、切替弁が第１状態に切り替わ
ることで、吸引状態となり、切替弁が第２状態に切り替わることで、送風状態となる。
【図面の簡単な説明】
【００１４】
【図１】本発明の一実施形態に係る記録装置の斜視図である。
【図２】記録処理部の正面図である。
【図３】（ａ）はステージ部の構成図、（ｂ）は吸引送風部の配管系統図である。
【図４】記録装置が行う一連の動作を示す図であって、（ａ）はテーブル部に記録媒体が載置された状態を示す図、（ｂ）は吸引送風部が吸引状態となった図である。
【図５】図４に続く動作を示す図であって、（ｃ）は記録処理部がステージ部の前端に移動した状態を示す図、（ｄ）は記録処理部による記録動作を示す図である。
【図６】図５に続く動作を示す図であって、（ｅ）は吸引送風部が送風状態となった図である。
【図７】（ａ）は変形例に係る吸引送風部を備えたステージ部の構成図、（ｂ）は変形例に係る吸引送風部の配管系統図である。
【発明を実施するための形態】
【００１５】
以下、添付の図面を参照し、本発明の一実施形態に係る記録装置について説明する。こ
の記録装置は、紫外線硬化型インク（以下「ＵＶインク」という。）をインクジェット方
式で吐出することにより、記録媒体に所望の画像を形成するものである。記録媒体として
は、例えば、厚紙、プラスチック板、ガラス板、セラミック板などが用いられる。
なお、以下では、図に示した「上」「下」「左」「右」「前」「後」を用いて説明する
が、これらの方向は説明の便宜上のものであり、本発明の実施に関しては、これらの方向
に限定されることはない。また、左右方向を「Ｘ軸方向」ともいい、前後方向を「Ｙ軸方
向」ともいう。
【００１６】
図１に示すように、記録装置１は、いわゆるフラットベッドタイプのものである。記録
装置１は、記録媒体Ｍ（図４等参照）が載置されるステージ部２と、ステージ部２に載置
された記録媒体Ｍに対し、Ｙ軸方向（前後方向）に間欠移動しながら記録を行う記録処理
部３とを備えている。また、記録装置１は、図示省略したが、記録処理部３をＹ軸方向に
移動させるＹ軸移動部を備えている。Ｙ軸移動部は、ステージ部２の下方に設けられてい
る。
【００１７】
ステージ部２は、詳細は後述するが、４本の脚材４と、４本の脚材４に支持され前後に
延在する左右２本の構造形材５と、２本の構造形材５間を渡すように設けられたテーブル
部６と、テーブル部６の前方に設けられた操作パネル７とを備えている。操作パネル７に
は、非常用の停止ボタン８、後述する４つの開閉レバー９、ファン駆動スイッチ１１など
が設けられている。
【００１８】
図２に示すように、記録処理部３は、記録ユニット１２と、記録ユニット１２をＸ軸方
向（左右方向）に移動させるＸ軸移動機構１３と、記録ユニット１２のＸ軸方向への移動
をガイドする上下２本のＸ軸ガイド１４と、右端部に設けられたメンテナンスユニット１
５と、これらを覆ったカバー１６（図１参照）とを備えている。Ｘ軸移動機構１３は、モ
ーター駆動のベルト機構で構成されている。
なお、記録ユニット１２は、「記録部」の一例である。
【００１９】
記録ユニット１２は、吐出部１７と、吐出部１７の左右に設けられた紫外線照射部１８
とを備えている。吐出部１７は、ステージ部２に載置された記録媒体Ｍに対して、ＵＶイ
ンクを吐出する。吐出部１７は、図示しないが、ＵＶインクを吐出するインクジェットヘ
ッド（図示省略）を搭載し、インクジェットヘッドには、インクタンクからインク供給チ
ューブを介してＵＶインクが供給される。各紫外線照射部１８は、記録媒体Ｍに着弾した
ＵＶインクに対して、紫外線を照射する。吐出部１７から吐出され、記録媒体Ｍに着弾し
たＵＶインクは、各紫外線照射部１８から照射された紫外線により硬化し、記録媒体Ｍに
定着する。
【００２０】
メンテナンスユニット１５は、図示しないが、例えば、インクジェットヘッドのノズル
面を覆うキャップ部材や、ノズル面を払拭するワイピング機構などを備えている。記録ユ
ニット１２は、非記録時には、図２に示したように、吐出部１７がメンテナンスユニット
１５に臨む位置、すなわち、記録処理部３の右端に位置している。
【００２１】
図３に示すように、ステージ部２は、上述した左右２本の構造形材５と、テーブル部６
と、操作パネル７とを備え、さらに、吸引送風部２１を備えている。
【００２２】
左右の構造形材５は、断面方形の鋼管から成り、テーブル部６を支持している。また、
後述するように、左側の構造形材５は、吸引送風部２１の一部としても機能している。
【００２３】
テーブル部６は、上面が開放された浅い箱状のボックス部２２と、ボックス部２２の上
面を覆う４枚の載置プレート２３とを備えている。載置プレート２３の上面が、記録媒体
Ｍが載置される載置面２６となる。載置プレート２３は、例えばアルマイト加工が為され
たアルミ製のパンチングメタルで構成されており、載置面２６には、円形の孔２４が縦横
に複数設けられている。各孔２４は、載置プレート２３を上下に貫通している。なお、図
３（ａ）では、図を明確にするため、載置面２６の一部にのみ孔２４を示したが、実際に
は、載置面２６の略全域に亘って孔２４が設けられている。
【００２４】
ボックス部２２および４枚の載置プレート２３は、後述するファン３１に連なるチャン
バーを構成している。チャンバーは、ボックス部２２と載置プレート２３との間に設けら
れたシール材２９により、前方から順に、第１室２５ａ、第２室２５ｂ、第３室２５ｃお
よび第４室２５ｄの４つに区画されている。さらに、第１室２５ａは、シール材２９によ
り、右前端部に設けられた第１分室２５ａ１と、第１分室２５ａ１の残部である第２分室
２５ａ２とに区画されている。
【００２５】
４枚の載置プレート２３は、第１室２５ａ〜第４室２５ｄに対応するように、前後に並
んでいる。第１室２５ａに対応する載置面２６を、第１エリア２６ａといい、第２室２５
ｂに対応する載置面２６を、第２エリア２６ｂといい、第３室２５ｃに対応する載置面２
６を、第３エリア２６ｃといい、第４室２５ｄに対応する載置面２６を、第４エリア２６
ｄという。また、第１分室２５ａ１に対応する載置面２６を、第１小エリア２６ａ１とい
い、第２分室２５ａ２に対応する載置面２６を、第２小エリア２６ａ２という。この第１
小エリア２６ａ１は、後述する基準位置Ｐ（図４参照）を含むように、設けられている。
【００２６】
詳細は後述するが、第１小エリア２６ａ１、第２小エリア２６ａ２および第２エリア２
６ｂ〜第４エリア２６ｄに設けられた孔２４には、吸引送風部２１により吸引力が作用し
、また、第１小エリア２６ａ１に設けられた孔２４からは、吸引送風部２１により載置面
２６側に空気が吹き出すようになっている。以下の説明では、第２小エリア２６ａ２およ
び第２エリア２６ｂ〜第４エリア２６ｄを、吸引エリアＡともいい、第１小エリア２６ａ
１を、吹出エリアＢともいう。
【００２７】
吸引送風部２１は、載置面２６に記録媒体Ｍが載置された状態で、吸引エリアＡに設け
られた孔２４に吸引力を作用させる吸引状態と、吹出エリアＢに設けられた孔２４に送風
し、その孔２４から空気を載置面２６側に吹き出させる送風状態と、を取り得るものであ
る。
【００２８】
吸引送風部２１は、左側の構造形材５と、左側の構造形材５の後端に連なるファン３１
と、左側の構造形材５の前端に連なるマニホールド３２と、マニホールド３２と第１室２
５ａ〜第４室２５ｄとをそれぞれ接続する４本の枝管３３と、ファン３１を駆動制御する
制御部３０とを備えている。ファン３１と構造形材５とは、第１接続管３４により接続さ
れ、構造形材５とマニホールド３２とは、第２接続管３５により接続されている。なお、
構造形材５には、負圧計３６が設けられている。
【００２９】
４本の枝管３３は、例えば、アルミ製フレキシブルダクトで構成されている。各枝管３
３の一方の端部は、第１室２５ａ〜第４室２５ｄに接続され（第１室２５ａに関しては、
厳密には、枝管３３の一方の端部は第２分室２５ａ２に接続されている）、他方の端部は
、マニホールド３２に接続されている。この第２分室２５ａ２に接続された枝管３３の途
中からは、分岐管３７が分岐している。分岐管３７の一方の端部は、第１分室２５ａ１に
接続され、他方の端部は、枝管３３の途中、すなわち逆止弁４１（後述する）よりもマニ
ホールド３２側に設けられたＴ字継手３８に接続されている。
なお、枝管３３は、「吸引流路」の一例である。また、分岐管３７は、「吹出流路」の
一例である。
【００３０】
ファン３１は、プロペラファンに代表される軸流送風機であり、回転方向が正逆切り替
わることで、各枝管３３内を排気する排気状態と、各枝管３３内に給気する給気状態とを
取り得る。ファン３１のＯＮ／ＯＦＦの切替え操作や、ファン３１の回転方向の切替え操
作は、操作パネル７に設けられたファン駆動スイッチ１１により操作される。制御部３０
は、ファン駆動スイッチ１１が受け付けた操作に基づいて、ファン３１のＯＮ／ＯＦＦを
切替え、また、ファン３１の回転方向を切替える。なお、ファン３１は、給排気フィルタ
ー４２を介して給排気を行う。
【００３１】
マニホールド３２は、操作パネル７の下に設けられている。各枝管３３とマニホールド
３２との間には、開閉弁３９が設けられている。各開閉弁３９を開閉操作するための開閉
レバー９は、上述したように、操作パネル７上に設けられている。開閉レバー９により開
閉弁３９を開閉操作することで、第１室２５ａ、第２室２５ｂ、第３室２５ｃおよび第４
室２５ｄが、ファン３１に対し、連通状態と非連通状態との間で個々に切り替えられる。
【００３２】
さらに、各枝管３３には、逆止弁４１が設けられている。第１室２５ａの第２分室２５
ａ２に接続された枝管３３に対しては、逆止弁４１は、Ｔ字継手３８よりも第２分室２５
ａ２側に設けられている。これらの逆止弁４１は、ファン３１の排気状態における空気の
流れを許容し、ファン３１の給気状態における空気の流れを阻止する。
【００３３】
以上のように構成された吸引送風部２１では、ファン３１が排気状態を取る場合には、
分岐管３７内が負圧になると共に、各枝管３３に設けられた逆止弁４１がファン３１の排
気状態における気体の流れを許容するため、各枝管３３内が負圧となり、第１小エリア２
６ａ１つまり吹出エリアＢに設けられた孔２４と、第２小エリア２６ａ２および第２エリ
ア２６ｂ〜第４エリア２６ｄつまり吸引エリアＡに設けられた孔２４とに吸引力が作用す
る。一方、ファン３１が給気状態を取る場合には、分岐管３７を介して第１小エリア２６
ａ１つまり吹出エリアＢに設けられた孔２４に送風されるが、各枝管３３に設けられた逆
止弁４１がファン３１の給気状態における気体の流れを阻止するため、第２小エリア２６
ａ２および第２エリア２６ｂ〜第４エリア２６ｄつまり吸引エリアＡに設けられた孔２４
には送風されない。このように、吸引送風部２１は、ファン３１が排気状態を取ることで
、吸引エリアＡに設けられた孔２４に吸引力を作用させる吸引状態となり、ファン３１が
給気状態を取ることで、吹出エリアＢに設けられた孔２４に送風し、その孔２４から空気
を載置面２６側に吹き出させる送風状態となる。
【００３４】
図４ないし図６を参照して、テーブル部６に記録媒体Ｍが載置され、記録処理部３によ
る記録動作後、テーブル部６から記録媒体Ｍが取り外されるまでに、記録装置１が行う一
連の動作について、説明する。
【００３５】
まず、記録開始前には、記録処理部３が、ステージ部２の後端に位置しており、この状
態で、テーブル部６の載置面２６に記録媒体Ｍが載置される。後述するように、記録ユニ
ット１２は、記録動作時にステージ部２に対して右前端部から移動を開始する。このため
、載置面２６の右前端部が、載置面２６において記録ユニット１２の記録開始位置に対応
した基準位置Ｐとなっている。オペレーターは、記録媒体Ｍのサイズを問わず、記録媒体
Ｍの右前角部が、基準位置Ｐに位置するように、記録媒体Ｍを載置面２６に載置する。こ
こでは、第１エリア２６ａ〜第３エリア２６ｃを覆うサイズの記録媒体Ｍが載置されたも
のとする（図４（ａ）参照）。
【００３６】
オペレーターは、載置面２６に記録媒体Ｍを載置した後、開閉弁３９を操作する。ここ
では、第１エリア２６ａ〜第３エリア２６ｃに記録媒体Ｍが載置されているため、オペレ
ーターは、第１室２５ａ〜第３室２５ｃに連なる枝管３３に設けられた開閉弁３９を開弁
操作すると共に、第４室２５ｄに連なる枝管３３に設けられた開閉弁３９を閉弁操作する
。その後、オペレーターは、ファン３１が排気状態となるように、ファン駆動スイッチ１
１を操作する。これにより、吸引送風部２１が吸引状態となり、記録媒体Ｍが載置された
第１小エリア２６ａ１、第２小エリア２６ａ２、第２エリア２６ｂおよび第３エリア２６
ｃに設けられた孔２４に、吸引力が作用する（図４（ｂ）参照）。このため、記録媒体Ｍ
が載置面２６に吸着し、記録媒体Ｍを反りのない状態とすることができる。また、第４室
２５ｄに連なる枝管３３に設けられた開閉弁３９が閉弁されているため、記録媒体Ｍが載
置されていない第４エリア２６ｄの孔２４から、無駄に空気を吸引することが抑制される
。
【００３７】
続いて、記録装置１が、記録開始指示を受け付けると、記録処理部３がステージ部２の
後端から前端に移動する（図５（ｃ）参照）。この移動により、記録ユニット１２は、ス
テージ部２の前端部右側方に位置する。なお、記録処理部３がステージ部２の後端から前
端に移動する際、記録処理部３に設けたフォトセンサー等を用いて、記録媒体Ｍ上の障害
物の有無を検査するようにしてもよい。
【００３８】
続いて、記録ユニット１２が、載置面２６に沿って、Ｘ軸方向に往動または復動しなが
ら、ＵＶインクの吐出および紫外線の照射を行う動作と、改行動作、すなわち記録処理部
３が前方から後方に向けて移動する動作と、を交互に行うことで、記録媒体Ｍに対して、
所望の画像を記録する（図５（ｄ）参照）。このように、記録ユニット１２は、記録時に
、ステージ部２に対して、右前端部から移動を開始する。もちろん、記録ユニット１２が
、記録時にステージ部２に対してどこから移動を開始するかは、任意に設計変更可能であ
る。
【００３９】
記録動作の終了後、オペレーターは、ファン３１が給気状態となるように、ファン駆動
スイッチ１１を操作する。これにより、吸引送風部２１が送風状態となり、第１小エリア
２６ａ１に設けられた孔２４から、載置面２６側に空気が噴き出る（図６（ｅ）参照）。
【００４０】
以上のように、本実施形態の記録装置１によれば、吸引送風部２１が、吸引状態では、
吸引エリアＡに設けられた孔２４および吹出エリアＢに設けられた孔２４に吸引力を作用
させるのに対し、送風状態では、吸引エリアＡに設けられた孔２４には送風せず、吹出エ
リアＢに設けられた孔２４に対して送風する。このため、載置面２６に設けられた全ての
孔２４に対して送風する場合に比べ、吹出エリアＢに設けられた孔２４からの風圧を大き
くすることができる。換言すれば、送風量の大きなファン３１を用いずとも、吹出エリア
Ｂに設けられた孔２４からの風圧を大きくすることができるため、比較的重量のある記録
媒体Ｍを用いた場合や、記録媒体Ｍが帯電して載置面２６と静電吸着しているような場合
にも、記録媒体Ｍのうち吹出エリアＢに載置された部分を載置面２６から浮かせることが
できる。これにより、オペレーターは、浮き上がった記録媒体Ｍと載置面２６との間に、
指などを容易に入れることができ、記録媒体Ｍを載置面２６から簡単に取り除くことがで
きる。
【００４１】
また、本実施形態によれば、吹出エリアＢが基準位置Ｐを含めて設けられていることで
、吹出エリアＢに、記録媒体Ｍのサイズを問わず、記録媒体Ｍが載置される。したがって
、どのようなサイズの記録媒体Ｍを用いた場合にも、その記録媒体Ｍを載置面２６から浮
かせることができ、これを載置面２６から簡単に取り除くことができる。
【００４２】
続いて、吸引送風部２１の変形例について説明する。変形例に係る吸引送風部２１は、
上述した吸引送風部２１と略同様に構成されているが、ファン３１として、シロッコファ
ンに代表される遠心送風機を用いている点で相違する。以下、異なる点を中心に説明する
。
【００４３】
図７に示すように、変形例の吸引送風部２１は、ファン３１の排気側に連なる排出管５
１と、分岐管３７の途中に設けられた切替弁５２とをさらに備え、他方、各枝管３３には
、逆止弁４１が設けられていない。なお、以下では、分岐管３７の切替弁５２よりも第１
分室２５ａ１側を、分岐管先端部３７ａといい、分岐管３７の切替弁５２よりも枝管３３
側を分岐管基端部３７ｂという。
なお、排出管５１は、「排出流路」の一例である。
【００４４】
切替弁５２は、５ポート弁で構成されており、分岐管先端部３７ａが接続された第１ポ
ート５２ａと、分岐管基端部３７ｂが接続された第２ポート５２ｂと、排出管５１のファ
ン３１とは反対側の端部が接続された第３ポート５２ｃと、吸気ポート５２ｄと、排気ポ
ート５２ｅとを備えている。吸気ポート５２ｄは、吸気用フィルター５３に連なり、排気
ポート５２ｅは、排気用フィルター５４に連なっている。
【００４５】
切替弁５２は、第１ポート５２ａを第２ポート５２ｂに連通させると共に、第３ポート
５２ｃを排気ポート５２ｅに連通させる第１状態と、吸気ポート５２ｄを第２ポート５２
ｂに連通させると共に、第３ポート５２ｃを第１ポート５２ａに連通させる第２状態と、
の間で切り替わる。
【００４６】
以上のように構成された吸引送風部２１では、切替弁５２が第１状態に切り替わった場
合には、第１ポート５２ａが第２ポート５２ｂと連通し、第３ポート５２ｃが排気ポート
５２ｅと連通するため、各枝管３３内および分岐管３７内が負圧となり、第２小エリア２
６ａ２および第２エリア〜第４エリア２６ｄつまり吸引エリアＡに設けられた孔２４と、
第１小エリア２６ａ１つまり吹出エリアＢに設けられた孔２４とに吸引力が作用する。一
方、切替弁５２が第２状態に切り替わった場合には、吸気ポート５２ｄが第２ポート５２
ｂと連通し、第３ポート５２ｃが第１ポート５２ａと連通するため、吸気ポート５２ｄか
ら吸気された気体が、分岐管基端部３７ｂ、枝管３３、排出管５１および分岐管先端部３
７ａを介して、吹出エリアＢに設けられた孔２４に送風される。このように、変形例の吸
引送風部２１についても、切替弁５２が第１状態に切り替わることで、吸引状態となり、
切替弁５２が第２状態に切り替わることで、送風状態となる。換言すれば、遠心送風機の
ように、回転方向が変わっても送風方向が変わらないファン３１を用いた場合にも、吸引
状態と送風状態とを取り得る吸引送風部２１を実現することができる。もちろん、変形例
の吸引送風部２１において、軸流送風機を用いることも可能である。
【００４７】
記録部としては、特に限定されるものではないが、例えば、インクジェット方式により
インクを吐出するものを用いることができる。インクとしては、一般的な水性インクや油
性インクのほか、Ｘ線、紫外線、可視光線、赤外線等の照射により硬化する電磁波硬化型
インクを用いることができる。
【００４８】
移動部としては、テーブル部６に対し、記録部を移動させる構成でもよく、記録部に対
し、テーブル部を移動させる構成でもよく、テーブル部および記録部の双方を移動させる
構成であってもよい。また、記録媒体に対して記録部を略直交する２方向に相対移動させ
るシリアル方式のものでもよく、１方向に相対移動させるライン方式のものでもよい。
【符号の説明】
【００４９】
１：記録装置、６：テーブル部、１２：記録ユニット、２１：吸引送風部、２４：孔、
２６：載置面、Ａ：吸引エリア、Ｂ：吹出エリア、Ｍ：記録媒体
【図１】
2015182282.tif 000003
【図２】
2015182282.tif 000004
【図３】
2015182282.tif 000005
【図４】
2015182282.tif 000006
【図５】
2015182282.tif 000007
【図６】
2015182282.tif 000008
【図７】
2015182282.tif 000009